(57)【要約】【課題】誤操作を防ぐ入力操作をさせながら、スムーズに内視鏡作業へ移行させる。【解決手段】内視鏡装置においてホワイトバランス調整を行う場合、入力操作方式としてダブルクリック方式、ダブルボタン方式、時差方式のいずれかが設定される。ダブルクリック方式の場合、タッチパネルの表示されたボタンマークを２回押すことによって、ホワイトバランス調整処理が実行開始される。ダブルボタン方式の場合、１回目にタッチパネルの入力操作、２回目にスコープボタンの入力操作をすることによって、ホワイトバランス調整処理が実行開始される。時差方式の場合、１回目にタッチパネルの入力操作の後所定時間経過すると、ホワイトバランス調整処理が実行開始される。【選択図】図２
2015213656.tif 000002
【特許請求の範囲】
【請求項１】
少なくとも１つの入力部と、
複合的入力操作方式に従った前記入力部に対する入力操作を検出可能な入力操作検出部と、
前記複合的入力操作に従い、所定の処理を実行する処理部とを備え、
前記複合的入力操作方式が、同一の入力部に対して複数回入力操作を行う複数回操作方式と、異なる入力部に対してそれぞれ入力操作を行う複数入力対象操作方式と、入力部に対して１回入力操作が行われてから所定時間経過するまで入力操作を行わない時差方式の少なくともいずれか１つの方式であることを特徴とする内視鏡装置。
【請求項２】
前記入力操作検出部が、複数回操作方式、複数入力対象方式、時差方式のうちいずれか１つの方式を複合的入力操作方式として選択的に設定する入力操作方式設定部を有することを特徴とする請求項１に記載の内視鏡装置。
【請求項３】
前記処理部が、時差方式による入力操作が行われると、所定の処理を実行し、
前記処理部が、複数回操作方式もしくは複数入力対象操作方式による入力操作が行われると、所定の処理の実行をキャンセルすることを特徴とする請求項１乃至２のいずれかに記載の内視鏡装置。
【請求項４】
前記入力操作検出部が、１回目の入力操作を検出すると、複合的入力操作方式に関する情報を画面に表示する表示処理部を有することを特徴とする請求項１乃至３のいずれかに記載の内視鏡装置。
【請求項５】
前記入力操作検出部が、１回目の入力操作を検出すると、所定の処理の実行をキャンセルする入力操作方式に関する情報を画面に表示することを特徴とする請求項４に記載の内視鏡装置。
【請求項６】
前記複合的入力操作方式において、１回目の入力操作が、所定時間経過するまで入力状態を持続させる長時間入力操作であることを特徴とする請求項１乃至５のいずれかに記載の内視鏡装置。
【請求項７】
前記入力部が、ビデオプロセッサに設けられたプロセッサ入力部と、スコープに設けられたスコープ入力部とを有し、
前記入力操作検出部が、前記プロセッサ入力部と前記スコープ入力部に対する入力操作を、複数入力対象操作方式として検出することを特徴とする請求項１乃至６のいずれかに記載の内視鏡装置。
【請求項８】
前記入力部が、押下式入力部であることを特徴とする請求項１乃至７のいずれかに記載の内視鏡装置。
【請求項９】
前記処理部が、所定の処理として観察画像に対する画像処理を実行することを特徴とする請求項１乃至８のいずれかに記載の内視鏡装置。
【請求項１０】
少なくとも１つの入力部と、
複合的入力操作方式に従った前記入力部に対する入力操作を検出可能な入力操作検出部と、
前記複合的入力操作に従い、所定の処理を実行する処理部とを備え、
前記複合的入力操作方式が、入力操作回数もしくは操作対象入力部の数を複数としていることを特徴とする内視鏡装置。
【発明の詳細な説明】
【技術分野】
【０００１】
本発明は、スコープによって器官内壁などの被写体を撮像し、観察画像をモニタに表示する内視鏡装置に関し、特に、オペレータの入力操作に関する。
【背景技術】
【０００２】
電子内視鏡装置では、内視鏡作業に関連する様々な機能が備えられており、オペレータは、ビデオプロセッサに設けられたボタン、ビデオプロセッサのタッチパネル、あるいはビデオプロセッサに接続されたキーボード、マウス、ビデオスコープなどに対し入力操作することにより、設定作業を行うことができる。例えば、白色被写体撮影用筒体を用いたホワイトバランス調整、撮影画像のフリーズ、スコープ先端部からの洗浄用水の噴射などが、ボタンなどを操作することによって行われる。
【０００３】
内視鏡作業中に誤操作が生じると、被検者に影響を及ぼす可能性がある。そのため、リスクの高い処理を実行するとき、誤操作の生じにくい入力操作を一般的に採用している。具体的には、ホワイトバランス調整などの場合、オペレータは数秒間に渡るボタンの長押し操作をしなければならない（例えば、特許文献１、２参照）。
【先行技術文献】
【特許文献】
【０００４】
【特許文献１】特開２００７−１８５３８８号公報（段落［００６４］）
【特許文献２】特開２００６−３４６０１０号公報（段落［００３６］）
【発明の概要】
【発明が解決しようとする課題】
【０００５】
長押し操作など安全性を考慮した入力操作方法は、場合によっては内視鏡作業効率を低下させる。例えば、白色被写体の筒体を用いたホワイトバランス調整を行う場合、スコープを片手で保持し、筒体を撮影しながらビデオプロセッサのボタンを長押ししなければならず、次の動作へスムーズに移行しにくい。
【０００６】
したがって、安全性とともに内視鏡作業効率を維持しながら、ユーザインターフェイスの優れた入力操作で処理を実行可能にすることが求められる。
【課題を解決するための手段】
【０００７】
本発明の内視鏡装置は、少なくとも１つの入力部と、所定の入力操作方式（以下、複合的入力操作方式という）に従った入力部に対する入力操作を検出可能な入力操作検出部と、入力操作に従い、所定の処理を実行する処理部とを備える。入力部としては、押下式入力部を適用することが可能であり、例えば、ボタン、タッチパネルなどが適用される。またシステムコントローラなどの制御部、および／あるいは画像処理部を設けて所定の処理を実行することが可能であり、例えば、所定の処理として、ホワイトバランス調整など観察画像に対する画像処理を適用することができる。
【０００８】
本発明では、単純な１回の入力操作とは異なる複合的入力操作方式による入力操作によって所定の処理が実行される構成であり、複合的入力操作方式として、同一の入力部に対して複数回入力操作を行う複数回操作方式と、異なる入力部に対してそれぞれ１回ずつ入力操作を行う複数入力対象操作方式と、入力部に対して１回入力操作が行われてから所定時間経過するまで入力操作を行わない時差方式の少なくともいずれか１つの方式が採用されている。
【０００９】
例えば、ボタンなどに対する入力操作の場合、２回同じ入力部を続けて操作するダブルクリック方式、異なる２つのボタンを操作するダブルボタン方式などが適用可能である。また、時差方式としては、１回の入力操作から次の操作を行わず、数秒経過してから処理を実行開始させればよい。このような入力操作方式を採用することにより、安全性を確保しながら効率性を落とすことなく処理へスムーズに移行することができる。
【００１０】
例えば、入力部として、ビデオプロセッサに設けられたプロセッサ入力部と、スコープに設けられたスコープ入力部とを設けることが可能である。入力操作検出部は、プロセッサ入力部とスコープ入力部に対する入力操作を、複数入力対象操作方式として検出すればよい。特に、ホワイトバランス調整の場合、オペレータはスコープ保持を伴うため、効率よく調整作業に移行することができる。
【００１１】
誤操作を確実に防ぐことを考慮し、複合的入力操作方式において、１回目の入力操作を所定時間経過するまで入力状態を持続させる長時間入力操作に設定してもよい。例えば、長押し操作とすることができる。
【００１２】
複合的入力操作方式は、自動的に設定してもよく、あるいはオペレータによる入力操作に従って設定してもよい。例えば、入力操作検出部が、複数回操作方式、複数入力対象方式、時差方式のうちいずれか１つの方式を複合的入力操作方式として選択的に設定する入力操作方式設定部を設けることが可能である。
【００１３】
単純に１回操作して処理実行開始に移行しないことを考慮すれば、処理開始前に何らかの入力操作で処理をキャンセルさせることも可能である。この場合、複合的入力操作によってキャンセルさせてもよい。例えば、処理部は、時差方式による入力操作が行われると、所定の処理を実行し、１回目の入力操作から所定時間経過するまでに複数回操作方式もしくは複数入力対象操作を実行することになる入力操作が行われると、所定の処理の実行をキャンセルすることが可能である。
【００１４】
所定実行開始までにある程度の時間経過、入力操作が必要であることがあるから、１回目の入力操作を検出すると、複合的入力操作方式に関する情報を画面に表示する表示処理部を備えるようにしてもよい。例えば、１回目の入力操作が行われると、設定された複合的入力操作を案内するメッセージを表示してもよい。また、上述したキャンセル機能を備えている場合、所定の処理の実行をキャンセルする入力操作方式に関する情報を画面に表示し、キャンセルの入力操作をオペレータに案内することも可能である。
【００１５】
本発明の他の態様における内視鏡装置は、少なくとも１つの入力部と、複数の複合的入力操作方式に従った入力部に対する入力操作を検出可能な入力操作検出部と、入力操作に従い、所定の処理を実行する処理部とを備え、複数の複合的入力操作方式が、入力操作回数もしくは操作対象入力部の数が複数である。
【発明の効果】
【００１６】
このように本発明によれば、誤操作を防ぐ入力操作をさせながら、スムーズに内視鏡作業へ移行させることができる。
【図面の簡単な説明】
【００１７】
【図１】第１の実施形態である電子内視鏡装置のブロック図である。
【図２】入力操作検出処理のフローチャートである。
【図３】第２の実施形態における入力操作検出処理のフローチャートである。
【発明を実施するための形態】
【００１８】
以下では、図面を参照して本実施形態である電子内視鏡装置について説明する。
【００１９】
図１は、第１の実施形態である電子内視鏡装置のブロック図である。
【００２０】
電子内視鏡装置は、その挿入部分が体内へ挿入されるビデオスコープ１０と、プロセッサ３０とを備え、ビデオスコープ１０はプロセッサ３０に着脱自在に接続される。プロセッサ３０には、キーボード５０、マウス５２、フットスイッチ５４、モニタ６０が接続されている。
【００２１】
プロセッサ３０は、ランプなどの光源３２を備え、光源３２から放射された照明光は、集光レンズ３３を通ってビデオスコープ１０内に設けられたライトガイド１２に入射する。ライトガイド１２を通った光は、配光レンズ１３を通ってスコープ先端部１０Ｍから被写体（観察対象）に向けて照射される。
【００２２】
被写体に反射した光は、スコープ先端部１０Ｍに設けられた対物レンズ１５を通り、これによって被写体像がＣＣＤなどのイメージセンサ１４の受光面に形成される。駆動回路１６から出力されるクロック信号に基づき、１フレーム／フィールド分の画素信号がイメージセンサ１４から所定の時間間隔（例えば１／３０、１／６０秒間隔）で読み出され、アナログ信号処理回路１１へ送られる。
【００２３】
イメージセンサ１４には、Ｃｙ，Ｙｅ，Ｇ、ＭｇあるいはＲ，Ｇ，Ｂなどの色要素を市松状に配列させた色フィルタが配設されており、例えば画素混合読み出し方式に従って１フレーム／フィールド分の画像信号が順次読み出される。アナログ信号処理回路１１では、イメージセンサ１４から読み出された画像信号に対し、増幅処理、ゲイン処理などが施され、プロセッサ３０の前段信号処理回路３６へ送られる。
【００２４】
前段信号処理回路３６では、アナログ画素信号に対してデジタル変換処理、ホワイトバランス処理、色変換処理などが施される。これにより、Ｒ，Ｇ，Ｂの画像信号が生成される。生成されたＲ，Ｇ，Ｂの画像信号は、画像メモリ３７に一時的に格納された後、後段信号処理回路３８へ送られる。なお、前段信号処理回路３６における画像処理は、ビデオスコープ１０内に画像信号処理回路を設けて行ってもよい。
【００２５】
後段信号処理回路３８では、輪郭強調処理、文字情報などを観察画像とともに表示するためのスーパーインポーズ処理などが画像信号に対して施される。画像処理された映像信号がモニタ６０に出力されることにより、観察画像がリアルタイム動画像としてモニタ６０に表示される。
【００２６】
ＣＰＵ等を含むシステムコントロール回路４０は、プロセッサ３０の動作を制御し、絞り３４、タイミングコントローラ４２等へ制御信号を出力する。また、システムコントロール回路４０は、フロントタッチパネル３５に対する入力操作を検出するとともに、Ｉ／Ｆ回路４４を経由してキーボード５０、マウス５２、フットスイッチ５４に対する入力操作を検出する。
【００２７】
さらにシステムコントロール回路４０は、ビデオスコープ１０内のスコープコントローラ１８との間で相互通信可能であり、スコープコントローラ１８は、プロセッサ３０から送られてくるデータに基づいて、タイミングコントローラ１７などへ制御信号を出力する。一方、スコープ操作部に設けられたスコープボタン１０Ｔが操作されると、スコープコントローラ１８はシステムコントロール回路４０へ入力操作検出信号を送信する。プロセッサ３０の動作制御に関するプログラムは、不揮発性のメモリ４１にあらかじめ格納されている。
【００２８】
フロントタッチパネル３５には、明るさ調整、ホワイトバランス調整など、観察画像に対する画像処理に関して設定するための設定画面が表示されており、オペレータは、フロントタッチパネル３５、スコープボタン１０Ｔなどを操作することによって観察画像の画質等を調整する。このとき、あらかじめ設定された入力操作方式に従って入力操作が行われる。
【００２９】
内視鏡作業での誤操作は被検者に対し重大な影響を与える可能性があるため、ここでは、単純な１回の押下による入力操作は採用せず、操作回数、操作対象ボタン数を複数に設定し、また、処理実行までに時間差を設けるなど、煩雑な操作を伴う入力操作方式（以下、複合的入力操作方式という）を採用している。
【００３０】
具体的な入力操作方式としては、ダブルクリック方式（複数回操作方式）、ダブルボタン方式（複数入力対象操作方式）、時差方式を採用することが可能である。ダブルクリック方式は、同一のボタンを続けて２回押下する操作方式、ダブルボタン方式は、異なる２つのボタンを別々に続けて押下する操作方式である。また、時差方式は、１回目のボタン操作から次の入力操作を行わない状態で一定時間経過すると、自動的に処理が実行される操作方式である。
【００３１】
オペレータは、これらの入力操作方式を選択的に設定可能である。設定内容をモニタ６０に表示する設定モードに切り替えてキーボード５０などを操作することにより、複合的入力操作方式がシステムコントロール回路４０によって設定される。
【００３２】
また、１回目の入力操作が行われると、入力操作に関する文字情報をモニタ６０に表示する。システムコントロール回路４０は、設定された入力操作方式に従って入力操作を検出し、処理を実行する。
【００３３】
図２は、入力操作検出処理のフローチャートである。以下、入力操作の検出処理について説明する。
【００３４】
ここでは、白色被写体を撮影するための用具である筒体を用いたホワイトバランス調整時における入力操作検出処理について説明する。ダブルクリック方式の場合、フロントタッチパネル３５に表示されたボタンのマーク部分を２回押下する。時差方式の場合、フロントタッチパネル３５のボタンを１回押下する。ダブルボタン方式の場合、フロントタッチパネル３５のボタン操作を１回目の入力操作とし、ビデオスコープ１０に設けられたスコープボタン１０Ｔを２回目の入力ボタンとする。
【００３５】
１回目の入力操作が行われたことを検出すると、入力操作方式としてダブルクリック方式が設定されているか否かが判断される（Ｓ１０１、Ｓ１０２）。ダブルクリック方式が設定されている場合、ダブルクリック方式に関するメッセージがモニタ６０に表示される（Ｓ１０３）。ここでは、「もう１回同じボタンを操作して下さい」といった、２回目の入力操作を促す文字情報が表示される。
【００３６】
一方、ダブルクリック方式が設定されておらず、ダブルボタン方式が設定されている場合、ダブルボタン方式に関するメッセージが表示される（Ｓ１０４、Ｓ１０５）。ここでは、２回目の入力操作対象ボタンがスコープボタン１０Ｔであることから、「スコープボタンを操作して下さい」といったメッセージが表示される。
【００３７】
ステップＳ１０７では、２回目の入力操作が行われたか否かが判断される。ダブルクリック方式の場合にはフロントタッチパネル３５、ダブルボタン方式の場合にはスコープボタン１０Ｔに対する入力操作が行われたと判断されると、ホワイトバランス調整処理が実行開始される（Ｓ１０８）。これによって、白色被写体が撮影された状態で、Ｒ，Ｇ，Ｂの画像信号の比が１：１：１となるように、ゲイン処理が行われる。
【００３８】
一方、入力操作方式として時差方式が設定されている場合、１回目の入力操作が行われると、時差方式に関するメッセージが表示される（Ｓ１０４、Ｓ１０６）。ここでは、あらかじめ定められた一定時間（例えば、３秒）が経過するまでの時間をカウントするカウント表示を行うとともに、「あと・・秒でホワイトバランス処理が実行開始されます」といったメッセージが表示される。そして、一定時間が経過すると、ホワイトバランス調整処理が実行開始される（Ｓ１０９、Ｓ１１０）。
【００３９】
このように本実施形態によれば、内視鏡装置においてホワイトバランス調整を行う場合、入力操作方式としてダブルクリック方式、ダブルボタン方式、時差方式のいずれかが設定される。ダブルクリック方式の場合、タッチパネルの表示されたボタンマークを２回押すことによって、ホワイトバランス調整処理が実行開始される。ダブルボタン方式の場合、１回目にタッチパネルの入力操作、２回目にスコープボタンの入力操作をすることによって、ホワイトバランス調整処理が実行開始される。時差方式の場合、１回目にタッチパネルの入力操作の後所定時間経過すると、ホワイトバランス調整処理が実行開始される。
【００４０】
単純な１回の入力操作以外の入力操作方式を採用する一方、長押しのように作業効率を低下させる入力操作方式とは異なり、入力操作に融通性があり、所定の処理開始へスムーズに移行できる入力操作を採用することができる。また、ホワイトバランス処理以外にも入力操作方式を設定可能であるため、所定内容、機能に合わせた入力操作を選択的に設定することができる。
【００４１】
特に、ホワイトバランス調整時にダブルボタン方式を設定すると、白色の被写体である筒体を撮影するためビデオスコープ１０を保持していることから、容易にスコープボタン１０Ｔを操作することによって確実にホワイトバランスを調整することができる。
【００４２】
また、１回目の入力操作に従って入力操作に関するメッセージを表示することにより、オペレータは、設定した入力操作方法を確認し、確実に次の入力操作を誤りなく行うことができる。
【００４３】
なお、１回目の入力操作として、長時間続けて押下する長押し操作を採用し、長押し操作を検出することで１回目の入力操作が行われたと判断してもよい。また、システムコントロール回路４０によって自動的に入力操作方式を設定してもよい。複合的入力操作方式としては、いずれか１つの方式のみ設定可能な構成にしてもよい。
【００４４】
次に、図３を用いて、第２の実施形態について説明する。第２の実施形態では、入力操作方式として時差方式があらかじめ設定されており、ダブルボタン方式もしくはダブルクリック方式が行われると、所定の実行がキャンセルされる。
【００４５】
図３は、第２の実施形態における入力操作検出処理のフローチャートである。
【００４６】
１回目の入力操作として長押し操作が検出されると、時差方式に関するメッセージとともにキャンセルするためのメッセージが表示される（Ｓ２０１、Ｓ２０２）。時差方式に関しては、上述したようにカウントダウンと処理実行開始のメッセージが表示される。キャンセルに関しては、「もう一度同じボタンを押すか、異なるボタンを押すと処理の実行をキャンセルします」といったメッセージが表示される。
【００４７】
一定時間経過前にダブルクリックもしくはダブルボタン操作が行われると、ホワイトバランス調整処理の実行がキャンセルされる（Ｓ２０３、Ｓ２０６）。一方、その間に入力操作が行われず一定時間が経過すると、ホワイトバランス調整処理が実行開始される（Ｓ２０４、Ｓ２０５）。なお、キャンセルするための入力操作方式は、あらかじめ設定されているが、オペレータが設定してもよい。
【００４８】
このように所定の実行をキャンセルする入力操作方式を設定することにより、誤って１回目の入力操作を行っても次の作業へ速やかに移行することができる。特に、時差方式を設定し、ダブルボタンあるいはダブルクリック方式をキャンセル入力操作方式として設定することにより、所望する所定への実行開始、あるいはキャンセルを確実に行うことができる。また、キャンセル入力操作方法をメッセージとして表示することにより、誤った入力操作なくキャンセルすることができる。
【００４９】
なお、処理をキャンセル入力操作方式として、ダブルボタン方式、ダブルクリック方式以外の入力操作方式を採用してもよい。この場合、その入力操作に関するメッセージが表示される。
【００５０】
第１、第２の実施形態では、タッチパネルの押下、スコープボタンの押下といった押下式入力操作部材、あるいは電気的、磁気的な接触検出タイプの入力部が適用されているが、それ以外の入力部を適用してもよい。また、ホワイトバランス調整以外の画像処理、あるいは画像処理以外についても上述した入力操作検出処理を行ってもよい。
【００５１】
ダブルクリック方式、ダブルボタン方式では操作回数、操作対象ボタン数は２回に限定されず、さらには、ダブルクリック方式、ダブルボタン方式、時差方式以外の複合的な入力操作方式を、単純な１回操作（長押し操作を含む）とは異なる操作方法として採用してもよい。
【符号の説明】
【００５２】
１０  ビデオスコープ
１０Ｔ  スコープボタン（入力部、スコープ入力部）
３０  プロセッサ
３５  フロントタッチパネル（入力部、プロセッサ入力部）
３６  前段信号処理回路（処理部）
３８  後段信号処理回路（処理部）
４０  システムコントロール回路（入力操作検出部、入力操作方式設定部）
【図１】
2015213656.tif 000003
【図２】
2015213656.tif 000004
【図３】
2015213656.tif 000005